(57)【要約】【課題】  ＥＣＧデータを管理するシステム及び方法を提供すること。【解決手段】  心臓の異なる領域に配置された複数の電極を介して経時的に取得された心臓の電気信号に対応する値を有するＥＣＧデータを格納するよう構成された第１メモリ部分を含む、ＥＣＧデータ管理システムが開示される。このシステムは更に、ＥＣＧデータを格納するよう構成された第２メモリ部分と、マッピング手順を行うことによりＥＣＧデータのマッピングを管理するように構成されている処理装置とを含み、このマッピング手順には、表示のためにＥＣＧデータからマップデータ及び１つ以上のマップを生成することと、同時にＥＣＧデータを第１メモリ部分及び第２メモリ部分に格納することと、並びに、ＥＣＧデータをエクスポートする要求に応じて、第２メモリ部分内へのデータの格納を停止し、マッピング手順の実行を継続しながら、第２メモリ部分に格納されたＥＣＧデータをマップデータと同期させることとが含まれる。【選択図】  図１
2019034150.tif 000002
【特許請求の範囲】
【請求項１】
心電図（ＥＣＧ）データ管理システムであって、
心臓の異なる領域に配置された複数の電極を介して経時的に取得された前記心臓の電気信号に対応する値を有するＥＣＧデータを格納するように構成された第１メモリ部分と、
前記電気信号に対応する前記ＥＣＧデータを格納するように構成された第２メモリ部分と、
前記ＥＣＧデータのマッピングを管理するように構成された処理装置であって、前記管理を、
表示するために前記ＥＣＧデータからマップデータ及び１つ以上のマップを生成することを含むマッピング手順を実行することと、
前記第１メモリ部分及び前記第２メモリ部分に同時に前記ＥＣＧデータを格納することと、
前記ＥＣＧデータをエクスポートする要求に応じて、前記第２メモリ部分への前記ＥＣＧデータの格納を停止することと、前記マッピング手順の実行を継続しながら、前記第２メモリ部分に格納された前記ＥＣＧデータを前記マップデータと同期させることと、によって行うように構成された、処理装置と、を含む、システム。
【請求項２】
前記処理装置が更に、
前記マップデータの値を置換する新しい値を含む新しいＥＣＧデータをインポートすることと、
前記新しいＥＣＧデータから新しいマップデータを生成して、新しいマップを表示するための前記新しいマップデータを提供することにより、前記マッピング手順を実行することと、によって、前記ＥＣＧデータの前記マッピングを管理するように構成されている、請求項１に記載のシステム。
【請求項３】
前記複数の電極を含むカテーテルを更に含み、前記カテーテルは、前記複数の電極のそれぞれを前記心臓の前記異なる領域に配置するように操作可能である、請求項１に記載のシステム。
【請求項４】
前記第２メモリ部分がリムーバブル格納装置である、請求項１に記載のシステム。
【請求項５】
前記処理装置が更に、
前記心臓の前記電気信号を取得するための異なる時間周期をそれぞれが含む、複数の選択可能な取得時間間隔を提供することと、
前記複数の選択可能な取得時間間隔のうちの１つを用いて、前記心臓の前記電気信号を取得するための選択を受信することと、
前記マッピング手順のために、前記複数の選択可能な取得時間間隔のうちの１つを用いて、前記心臓の前記電気信号を取得することと、
によって、前記ＥＣＧデータのマッピングを管理するように構成されている、請求項１に記載のシステム。
【請求項６】
前記第２メモリ部分に格納されている前記ＥＣＧデータを前記マップデータと同期させることが、前記第２メモリ部分に現在格納されている前記ＥＣＧデータを、前記ＥＣＧデータをエクスポートする前記要求を受信する前に生成されていた前記マップデータと一致させることを含む、請求項１に記載のシステム。
【請求項７】
前記第２メモリ部分に現在格納されている前記ＥＣＧデータを、前記ＥＣＧデータをエクスポートする前記要求を受信する前に生成されていた前記マップデータと一致させることが、前記第２メモリ部分に格納されている前記ＥＣＧデータの現在進行中部分を削除することと、前記第２メモリ部分に格納されている前記ＥＣＧデータにＥＣＧデータの追加部分を追加することとの少なくとも一方を更に含む、請求項６に記載のシステム。
【請求項８】
表示装置を更に含み、
前記処理装置が、表示する前記マップデータ及び前記１つ以上のマップを前記表示装置に提供することによって、前記ＥＣＧデータのマッピングを管理するように更に構成され、
前記表示装置が、前記マップデータと前記１つ以上のマップとの少なくとも一方を表示するように構成されている、請求項１に記載のシステム。
【請求項９】
ユーザ定義マップ用に心電図ＥＣＧデータを管理する方法であって、
心臓の異なる領域に配置された複数の電極を介して、経時的に取得された前記心臓の電気信号に対応するＥＣＧデータを取得することと、
前記ＥＣＧデータからマップデータ及び１つ以上のマップを生成することを含むマッピング手順を実行することと、
第１メモリ部分及び第２メモリ部分に同時に前記ＥＣＧデータを格納することと、
前記ＥＣＧデータをエクスポートする要求に応じて、前記第２メモリ部分への前記ＥＣＧデータの格納を停止することと、前記マッピング手順の実行を継続しながら、前記第２メモリ部分に格納された前記ＥＣＧデータを前記マップデータと同期させることと、を含む、方法。
【請求項１０】
更に、
前記マップデータの値を置換する新しい値を含む新しいＥＣＧデータをインポートすることと、
前記新しいＥＣＧデータから新しいマップデータを生成して、新しいマップを表示するための前記新しいマップデータを提供することにより、前記マッピング手順を実行することと、
前記新しいマップデータと前記新しいマップとを表示することと、を含む、請求項９に記載の方法。
【請求項１１】
更に、
前記心臓の前記電気信号を取得するための異なる時間周期をそれぞれが含む、複数の選択可能な取得時間間隔を提供することと、
前記複数の選択可能な取得時間間隔のうちの１つを用いて、前記心臓の前記電気信号を取得するための選択を受信することと、
前記マッピング手順のために、前記複数の選択可能な取得時間間隔のうちの１つを用いて、前記心臓の前記電気信号を取得することと、を含む、請求項９に記載の方法。
【請求項１２】
前記第２メモリ部分に格納されている前記ＥＣＧデータを前記マップデータと同期させることが、前記第２メモリ部分に現在格納されている前記ＥＣＧデータを、前記ＥＣＧデータをエクスポートする前記要求を受信する前に生成されていた前記マップデータと一致させることを含む、請求項９に記載の方法。
【請求項１３】
前記第２メモリ部分に現在格納されている前記ＥＣＧデータを、前記ＥＣＧデータをエクスポートする前記要求を受信する前に生成されていた前記マップデータと一致させることが、更に、前記第２メモリ部分に格納されている前記ＥＣＧデータの現在進行中部分を削除することと、前記第２メモリ部分に格納されている前記ＥＣＧデータにＥＣＧデータの追加部分を追加することとの少なくとも一方を含む、請求項１２に記載の方法。
【請求項１４】
更に、
表示する前記マップデータ及び前記１つ以上のマップを表示装置に提供することと、
前記マップデータ及び前記１つ以上のマップの少なくとも一方を、前記表示装置に表示することと、を含む、請求項９に記載の方法。
【請求項１５】
前記複数の電極を含むカテーテルを用いて、前記心臓の前記電気信号を取得することを更に含む、請求項９に記載の方法。
【請求項１６】
コンピュータビジョン加速方法をコンピュータに実行させるための命令を含む、非一時的コンピュータ可読媒体であって、前記命令が、
心臓の異なる領域に配置された複数の電極を介して、経時的に取得された前記心臓の電気信号に対応するＥＣＧデータを取得することと、
前記ＥＣＧデータからマップデータ及び１つ以上のマップを生成することを含むマッピング手順を実行することと、
第１メモリ部分及び第２メモリ部分に同時に前記ＥＣＧデータを格納することと、
前記ＥＣＧデータをエクスポートする要求に応じて、前記第２メモリ部分への前記ＥＣＧデータの格納を停止することと、前記マッピング手順の実行を継続しながら、前記第２メモリ部分に格納された前記ＥＣＧデータを前記マップデータと同期させることと、を含む、コンピュータ可読媒体。
【請求項１７】
前記命令が更に、
前記マップデータの値を置換する新しい値を含む新しいＥＣＧデータをインポートすることと、
前記新しいＥＣＧデータから新しいマップデータを生成して、新しいマップを表示するための前記新しいマップデータを提供することにより、前記マッピング手順を実行することと、
前記新しいマップデータと前記新しいマップとを表示することと、を含む、請求項１６に記載のコンピュータ可読媒体。
【請求項１８】
前記命令が更に、
前記心臓の前記電気信号を取得するための異なる時間周期をそれぞれが含む、複数の選択可能な取得時間間隔を提供することと、
前記複数の選択可能な取得時間間隔のうちの１つを用いて、前記心臓の前記電気信号を取得するための選択を受信することと、
前記マッピング手順のために、前記複数の選択可能な取得時間間隔のうちの１つを用いて、前記心臓の前記電気信号を取得することと、を含む、請求項１６に記載のコンピュータ可読媒体。
【請求項１９】
前記第２メモリ部分に格納されている前記ＥＣＧデータを前記マップデータと同期させることが、前記第２メモリ部分に現在格納されている前記ＥＣＧデータを、前記ＥＣＧデータをエクスポートする前記要求を受信する前に生成されていた前記マップデータと一致させることを含む、請求項１６に記載のコンピュータ可読媒体。
【請求項２０】
前記第２メモリ部分に現在格納されている前記ＥＣＧデータを、前記ＥＣＧデータをエクスポートする前記要求を受信する前に生成されていた前記マップデータと一致させることが、更に、前記第２メモリ部分に格納されている前記ＥＣＧデータの現在進行中部分を削除することと、前記第２メモリ部分に格納されている前記ＥＣＧデータにＥＣＧデータの追加部分を追加することとの少なくとも一方を含む、請求項１６に記載のコンピュータ可読媒体。
【発明の詳細な説明】
【開示の内容】
【０００１】
本明細書で開示される実施形態は、ＥＣＧデータの格納及びマッピングの進行中のマッピング手順を停止することなしに、又は、進行中のマッピング手順の完了を待つことなしに、経時的に取得されたＥＣＧ信号に対応する格納された心電図（ＥＣＧ）データの効率的なエクスポートを促進するシステム及び方法を採用する。実施形態はまた、ユーザ定義アルゴリズムに従ってエクスポートされたデータを処理することにより得られた新しいデータの、進行中のマッピング手順によって使用される、効率的なインポートを促進し、この新しいデータを新しいマップとして表示させる。
【０００２】
本出願は、心臓の異なる領域に配置された複数の電極を介して経時的に取得された心臓の電気信号に対応する値を有する心電図（ＥＣＧ）データを格納するように構成された第１メモリ部分を含む、ＥＣＧデータ管理システムを提供する。このシステムは更に、電気信号に対応するＥＣＧデータを格納するように構成された第２メモリ部分を含む。このシステムは更に、マッピング手順を行うことによりＥＣＧデータのマッピングを管理するように構成された処理装置を含む。表示のために、ＥＣＧデータからマップデータ及び１つ以上のマップを生成することと、同時にＥＣＧデータを第１メモリ部分及び第２メモリ部分に格納することと、並びに、ＥＣＧデータをエクスポートする要求に応じて、第２メモリ部分内へのデータの格納を停止し、マッピング手順の実行を継続しながら、第２メモリ部分に格納されたＥＣＧデータをマップデータと同期させることとが含まれる。
【０００３】
一実施形態によれば、この処理装置は更に、新しいＥＣＧデータをインポートすることによりＥＣＧデータのマッピングを管理するよう構成され、取得した各電気信号に対応するＥＣＧデータの値を置換する新しい値を含み、新しいＥＣＧデータから新しいマップデータを生成して、新しいマップを表示するための新しいマップデータを提供することにより、マッピング手順を実行する。
【０００４】
本出願は更に、ユーザ定義マップのためのＥＣＧデータ管理方法を提供し、これには、心臓の異なる領域に配置された複数の電極を介して経時的に取得された心臓の電気信号に対応するＥＣＧデータを取得することと、このＥＣＧデータから、マップデータ及び１つ以上のマップを生成することを含むマッピング手順を実行することと、同時に、第１メモリ部分及び第２メモリ部分内にＥＣＧデータを格納することとが含まれる。この方法には更に、ＥＣＧデータをエクスポートする要求に応じて、第２メモリ部分へのＥＣＧデータの格納を停止することと、マッピング手順の実行を継続しながら、第２メモリ部分に格納されたＥＣＧデータをマップデータと同期させることと、が含まれる。
【０００５】
本出願は更に、コンピュータビジョン加速方法をコンピュータに実行させるための命令を含む、持続性コンピュータ可読媒体を提供する。この命令には、心臓の異なる領域に配置された複数の電極を介して経時的に取得された心臓の電気信号に対応するＥＣＧデータを取得することと、このＥＣＧデータから、マップデータ及び１つ以上のマップを生成することを含むマッピング手順を実行することと、が含まれる。この命令には更に、第１メモリ部分及び第２メモリ部分に同時にＥＣＧデータを格納することが含まれる。この命令には更に、ＥＣＧデータのエクスポート要求に応じて、第２メモリ部分へのＥＣＧデータの格納を停止することと、マッピング手順の実行を継続しながら、第２メモリ部分に格納されたＥＣＧデータをマップデータと同期させることと、が含まれる。
【図面の簡単な説明】
【０００６】
添付の図面と共に一例として与えられた以降の説明から、より詳細な理解が可能になる。
【図１】本明細書に開示される実施形態による、ツールを３Ｄ空間内で誘導するための例示の医療システムの図である。
【図２】本明細書に記載の実施形態と共に使用するための例示の医療システムの構成要素の図である。
【図３】ユーザ定義マップのためのＥＣＧデータを管理する例示の方法を示すフロー図である。
【図４】本明細書に記載の実施形態により表示された、例示のＥＣＧデータと、心臓の時空間表現を表すマップとの、スクリーンショットである。
【図５】エクスポートされたフォルダに格納されている複数のＥＣＧデータ取得ポイントに提供される、ユーザ定義値の表示のスクリーンショットである。
【発明を実施するための形態】
【０００７】
心不整脈（例えば心房細動）を治療するための最近のアプローチには、低侵襲性アブレーション手技（例えばカテーテルアブレーション）が挙げられ、この手技では、アブレーションにより電気的経路を遮断し、心臓の調律障害を引き起こし得る誤った電気的インパルスをブロックする。カテーテルアブレーションに使用される従来の方法及びシステムとしては、典型的に、皮膚の切開部からカテーテルを挿入し、心臓まで誘導することが含まれる。アブレーションが行われる前に、心臓の異なる領域に配置された電極（例えば、カテーテルを介して配置された電極）を介して、心臓の心電図（ＥＣＧ）信号が取得される。ＥＣＧ信号ごとに、ＥＣＧデータが複数のＥＣＧデータ部分として連続的に取得される。各ＥＣＧデータ部分は典型的には、約２．５秒の時間間隔にわたって取得されたＥＣＧデータに対応する。取得されたＥＣＧデータに基づいて、表示マップ（例えば、心臓の電気物理的状態のマップ、心臓の時空間表現のマップ）が生成され、これにより心臓の１つ以上の領域が不規則な心臓調律を生じているか否かの判定を促進する。
【０００８】
一部のアブレーション手技中に、記録されたＥＣＧ信号の一部（例えば、現在表示中のＥＣＧ信号）に対応するデータをエクスポート（すなわち抽出）し、ユーザ定義（例えば、医師定義の）アルゴリズムに従ってエクスポートデータを処理し、その処理済みデータの結果を新しいマップとして表示することが望ましい。しかし、エクスポートし、そのエクスポートされたデータを処理する従来の技術は、煩雑であり、時間がかかる。例えば、進行中のマッピング手順が実行されている（例えば、マップを生成して表示させている）間は、データをエクスポートすることができない。代わりに、進行中マッピング手順が完了するか、又は停止されて、データをエクスポートするための新たなモード（非マッピング手順モード）に入るまで、ＥＣＧ信号に対応するデータをエクスポートすることはできない。
【０００９】
本明細書で開示される実施形態は、進行中のマッピング手順を停止することなしに、又は、進行中のマッピング手順の完了を待つことなしに、現在表示されているＥＣＧ信号に対応する格納されたＥＣＧデータの効率的なエクスポートを促進する、システム、装置及び方法を採用する。実施形態は、取得されたＥＣＧデータを、計算装置の第１メモリ部分、及び計算装置から取り外し可能な第２メモリ部分に、連続的かつ同時進行で格納することによって、ＥＣＧデータのエクスポートを促進する。実施形態は更に、新しいデータ（例えば、ユーザ定義アルゴリズムに従ってエクスポートされたデータを処理することにより得られたもの）を計算装置へ効率的にインポートすること（例えば、マッピング手順処理パイプラインへの挿入）、及び、その新しいデータを新しいマップとして表示させることを容易にする。
【００１０】
本明細書に記載されたマッピング技法は、取得されたＥＣＧ信号と検出された局所興奮時間（ＬＡＴ）の様々なパラメータ（例えば、周期、早期度、Ｒ−Ｓ群、伝導速度（ＣＶ）、ブロック、及び分画）を利用して、活動化の源（すなわち動因）と解剖学的基質の持続要因（例えば心臓の表面）の潜在的なエビデンスを特定する。潜在的な動因（例えば、震源域及び回転活性化パターン（ＲＡＰ））及び持続要因を特定するエビデンスを用いて、ＡＦ基質のマッピングを提供する。
【００１１】
ここで図１を参照すると、情報５２（例えば、患者の一部の解剖モデル及び信号情報）を生成し表示するために使用され得る例示の医療システム２０の図が示されている。ツール２２等のツールは、例えば、患者２８の心臓２６内の電位をマッピングするための複数の電極を有するカテーテル（例えば、図２に示され、下記で詳しく記述される、カテーテル２０２）などの、診断又は治療処置のために用いられる任意のツールであってよい。代替的に、ツールは、必要な変更を加えて、心臓、肺、又はその他の人体臓器内（例えば、耳、鼻、及び咽喉（ＥＮＴ））等の様々な解剖学的部分の他の治療目的及び／又は診断目的で使用されてもよい。ツールは、例えば、プローブ、カテーテル、切断ツール、及び吸引装置を含んでもよい。
【００１２】
操作者３０は、ツール２２の先端５６が心臓２６の腔に入るように、患者の解剖学的構造の一部（例えば、患者２８の脈管系等）にツール２２を挿入することができる。制御コンソール２４は、心臓２６内部にあるツールの３次元位置座標（例えば、先端５６の座標）を決定するために、磁気位置検出を用いてもよい。位置座標を決定するために、制御コンソール２４内の駆動回路３４は、コネクタ４４を介して磁場発生装置３６を駆動して、患者２８の解剖学的構造内に磁場を生成することができる。
【００１３】
磁場発生装置３６は、患者２８の外部の既知の位置に配置された１つ以上のエミッタコイル（図１には図示せず）を含み、当該コイルは、患者の解剖学的構造の対象部分が入っている既定の作業範囲内に磁場を生成するように構成されている。エミッタコイルのそれぞれは、様々な周波数で駆動されて一定の磁場を放射することができる。例えば、図１に示す例示の医療システム２０では、１つ以上のエミッタコイルは、患者２８の胴部の下に配置することができ、それぞれが患者の心臓２６が入っている既定の作業範囲内に磁場を生成するように構成されている。
【００１４】
図１に示したように、磁場位置センサ３８がツール２２の先端５６に配置されている。磁場位置センサ３８は、磁場の振幅及び位相に基づいて、ツールの３次元位置座標（例えば、先端５６の位置座標）を示す電気信号を生成する。電気信号は、ツールの位置座標を決定するために、制御コンソール２４に伝達され得る。電気信号は、ワイヤ４５を介して制御コンソール２４に伝達されてもよい。
【００１５】
代替的に、又は有線通信に加えて、電気信号は、例えば、制御コンソール２４の入力／出力（Ｉ／Ｏ）インタフェイス４２と通信することができるツール２２の無線通信インタフェイス（図示されず）を介して、制御コンソール２４に無線通信されてもよい。例えば、開示内容が参照により本明細書に組み込まれる米国特許第６，２６６，５５１号は、とりわけ、信号処理装置及び／又は計算装置に物理的に接続されていないワイヤレスカテーテルについて記載しており、これは参照により本明細書に組み込まれる。もっと正確に言えば、送受信器はカテーテルの近位端に取り付けられている。送受信器は、例えばＩＲ送信、ＲＦ送信、ブルートゥース送信、又は音響送信等の無線通信方法を使用して、信号処理装置及び／又は計算装置と通信する。無線デジタルインタフェイス及びＩ／Ｏインタフェイス４２は、当該技術分野で既知である、例えば、ＩＲ、ＲＦ、ブルートゥース、ＩＥＥＥ  ８０２．１１規格ファミリーの１つ（例えば、Ｗｉ−Ｆｉ）、又はＨｉｐｅｒＬＡＮ規格等の任意の好適な無線通信規格に従って動作することができる。
【００１６】
図１は、器具２２の先端５６に配設された単一の磁場位置センサ３８を示しているが、器具は、それぞれが器具の任意の部分に配設された１つ以上の磁場位置センサを含み得る。磁場位置センサ３８は、１つ以上の小型コイル（図示されず）を含んでもよい。例えば、磁場位置センサは、異なる軸に沿って方向付けられた多数の小型コイルを含んでもよい。代替的に、磁場位置センサは、別のタイプの磁気センサ又は他のタイプの位置検出器（例えば、インピーダンスに基づく位置センサ若しくは超音波位置センサ）のいずれかを含んでもよい。
【００１７】
信号プロセッサ４０は、信号を処理することによって位置及び向きの座標の両方を含むツール２２の位置座標を決定するように構成されている。上述した位置検知方法は、Ｂｉｏｓｅｎｓｅ  Ｗｅｂｓｔｅｒ  Ｉｎｃ．，（カリフォルニア州ダイアモンドバー）製のＣＡＲＴＯマッピングシステムにおいて実施されており、本明細書に引用される特許及び特許出願において詳細に説明されている。
【００１８】
ツール２２はまた、遠位端部３２内に収容された力センサ５４を含み得る。力センサ５４は、ツール２２（例えば、ツールの先端５６）によって心臓２６の心内膜組織に加えられる力を測定し、制御コンソール２４に送信される信号を生成することができる。力センサ５４は、遠位端部３２のバネによって接続された磁場送信器及び受信器を含んでもよく、バネのたわみの測定に基づいて力の指標を生成してもよい。この種のプローブ及び力センサの更なる詳細は、米国特許出願公開第２００９／００９３８０６号及び同第２００９／０１３８００７号に記載されており、これらの開示内容は参照により本明細書に組み込まれる。また、遠位端部３２は、例えば、光ファイバー又はインピーダンス測定を使用し得る別の種類の力センサを含んでもよい。
【００１９】
ツール２２は、先端５６に連結され、かつインピーダンスに基づく位置検出器として機能するように構成された、電極４８を含んでもよい。追加的に又は代替的に、電極４８は、特定の生理学的性質、例えば、１つ以上の位置における局所表面電位（例えば、心組織の電位）等を測定するように構成されてもよい。電極４８は、ＲＦエネルギーを印加して心臓２６の心内膜組織を焼灼するように構成され得る。
【００２０】
例示の医療システム２０は、磁気に基づくセンサを使用してツール２２の位置を測定するように構成され得るが、他の位置追跡技術を用いてもよい（例えば、インピーダンスに基づくセンサ）。磁気位置追跡技術は、例えば、米国特許第５，３９１，１９９号、同第５，４４３，４８９号、同第６，７８８，９６７号、同第６，６９０，９６３号、同第５，５５８，０９１号、同第６，１７２，４９９号、同第６，１７７，７９２号に記載されており、これらの開示内容は参照により本明細書に組み込まれる。インピーダンスに基づく位置追跡技術は、例えば、米国特許第５，９８３，１２６号、同第６，４５６，８２８号、及び同第５，９４４，０２２号に記載されており、これらの開示内容は参照により本明細書に組み込まれる。
【００２１】
Ｉ／Ｏインタフェイス４２により、制御コンソール２４と、ツール２２、体表面電極４６、及び任意のその他のセンサ（図示されず）との相互作用が可能になる。信号プロセッサ４０は、体表面電極４６から受信した電気インパルス、並びに医療システム２０のＩ／Ｏインタフェイス４２及び他の構成要素を介してツール２２から受信した電気信号に基づいて、３Ｄ空間内のツールの位置を決定し、また表示情報５２を生成することができ、この情報は表示部５０に示され得る。
【００２２】
信号プロセッサ４０は、ツール２２から信号を受信しかつ制御コンソール２４の他の構成要素を制御するのに好適なフロントエンド回路及びインタフェイス回路を有する、汎用コンピュータに含まれ得る。信号プロセッサ４０は、本明細書に記載する機能を実行するように、ソフトウェアを使用してプログラムされてもよい。ソフトウェアは、例えば、ネットワークを介して電子的形態で制御コンソール２４にダウンロードされてもよく、又はそれは、光学的、磁気的、若しくは電子的記録媒体等の非一時的有形媒体上に提供されてもよい。あるいは、信号プロセッサ４０の機能のうちの一部又は全部が、専用の又はプログラム可能なデジタルハードウェア構成要素によって実行されてもよい。
【００２３】
図１に示す実施例では、制御コンソール２４は、ケーブル４４を介して体表面電極４６に接続されており、体表面電極４６のそれぞれは、患者の皮膚に付着するパッチ（例えば、図１では電極４６の周りの円として示される）を使用して患者２８に取り付けられている。体表面電極４６は、可撓性基材上に集積された１つ以上の無線センサノードを含み得る。１つ以上の無線センサノードは、局所的なデジタル信号処理を可能にする無線送信／受信ユニット、無線リンク、及び小型の再充電可能電池を含み得る。パッチに加えて又はそれに代替して、体表面電極４６はまた、患者２８によって着用される、体表面電極４６を含む物品を使用して患者上に配置されてもよく、着用された物品の位置を示す１つ以上の位置センサ（図示されず）を含んでもよい。例えば、体表面電極４６は、患者２８によって着用されるように構成されたベストに埋め込まれてもよい。手術中、体表面電極４６は、心組織の分極及び脱分極によって生じる電気インパルスを検出し、ケーブル４４を介して情報を制御コンソール２４に送信することによって、３Ｄ空間内のツール（例えば、カテーテル）の位置を提供するのに役立つ。体表面電極４６は、磁気位置追跡装置を装備していてもよく、患者２８の呼吸サイクルを特定し追跡するのに役立ち得る。有線通信に加えて又はそれに替えて、体表面電極４６は、無線インタフェイス（図示されず）を介して制御コンソール２４と、かつ相互に通信してもよい。
【００２４】
診断処置中、信号プロセッサ４０は、表示情報５２を提示することができ、情報５２を表すデータをメモリ５８に格納することができる。メモリ５８は、ランダムアクセスメモリ又はハードディスクドライブなど、任意の好適な揮発性及び／又は不揮発性メモリを含んでいてもよい。操作者３０は、１つ以上の入力装置５９を使用して表示情報５２を操作することが可能である。代替的に、医療システム２０は、操作者３０がツール２２を操作している間、制御コンソール２４を操作する第二操作者を含んでいてもよい。図１に示す構成は一例であることに留意されたい。医療システム２０の任意の適当な構成を使用及び実施することができる。
【００２５】
図２は、本明細書で説明される実施形態と共に用いる医療システム２００の構成要素の例を示すブロック図である。図２に示すように、システム２００には、カテーテル２０２、処理装置２０４、表示装置２０６、並びに、メモリ２１２及び格納部２１４（例えば、リムーバブル格納装置）を含む複数のメモリ部が含まれる。図２に示すように、処理装置２０４、表示装置２０６、メモリ２１２及び格納部２１４は、計算装置２１６の一部である。いくつかの実施形態では、表示装置２０６は計算装置２１６から分離されていてもよい。
【００２６】
カテーテル２０２は、例えばバスケット型カテーテルのような複数の異なるカテーテルタイプのうちの１つであってよい。カテーテル２０２は、心臓のある領域の電気活動（すなわち電気信号）を経時的に検出するよう構成された、複数のカテーテル電極２０８を含む。カテーテル２０２は、心臓の異なる領域に各カテーテル電極２０８を配置するよう操作可能である。ＥＣＧが実施される際、各カテーテル電極２０８は、電極２０８に接触している心臓の領域の電気的活動を検出する。このシステム例２００は更に、心臓の電気生理学的パターンによる皮膚の電気的変化の検出を介して、心臓の電気的活動を検出するように構成された、心臓外電極２１０（例えば、図１に示す体表面電極４６）を含む。カテーテル２０２（カテーテル電極２０８及び心臓外電極２１０を含む）は、処理装置２０４と有線又は無線通信することができる。いくつかの実施形態では、心臓外電極２１０は使用しなくてもよい。
【００２７】
処理装置２０４は、検出されたＥＣＧ信号をカテーテル電極２０８及び心臓外電極２１０から受信し、そのＥＣＧ信号を格納し、そのＥＣＧ信号に対応するデータを表示装置２０６に提供して表示させるよう構成される。例えば、処理装置２０４は、ＥＣＧ信号をフィルタし、ＥＣＧ信号を信号成分（例えば、傾斜、波、群）に分画し、ＥＣＧ信号に対応するデータを提供し、ＥＣＧ信号情報を合成し、マッピング情報を補間し、ＥＣＧ信号に対応するデータを記録する（すなわち、格納する）よう構成された、１つ以上のプロセッサを含んでもよい。ＥＣＧ信号に対応するデータは、下記に詳しく記述されるように、メモリ２１２及び格納部２１４に提供され得る。
【００２８】
表示装置２０６は、ＥＣＧ信号に対応するデータを表示するようにそれぞれ構成された１つ以上のディスプレイを含み得る。例えば、表示装置２０６は、ＥＣＧ信号情報と、心臓の時空間表現を表すマップとを表示するように構成されている。表示装置２０６は、処理装置２０４と有線又は無線通信することができる。いくつかの実施形態では、表示装置は計算装置２１６から分離されていてもよい。
【００２９】
メモリ２１２及び格納部２１４は、例えばＥＣＧデータなどのデータを格納するのにそれぞれ使用される異なるメモリ部分の例である。メモリ２１２のタイプとしては、揮発性メモリ及び不揮発性メモリ、例えば、ランダムアクセスメモリ（ＲＡＭ）、ダイナミックＲＡＭ、又はキャッシュが挙げられる。格納部２１４のタイプとしては、固定式格納部（例えば、ハードディスクドライブ及びソリッドステートドライブ）、及びリムーバブル格納部（例えば、光学ディスク及びフラッシュドライブ）が挙げられる。下記に詳しく記述されるように、ＥＣＧデータは複数のメモリ部分に格納することができる。例えば、カテーテル電極２０８を介して経時的に取得された心臓の電気信号に対応するＥＣＧデータは、メモリ２１２などの第１メモリ部分に格納される。更に、同じ電気信号に対応するＥＣＧデータが、格納部２１４などの第２メモリ部分に格納される。格納部２１４内のデータは、下記に詳しく記述されるように、ユーザ定義アルゴリズムに従って他の装置（例えば、リモートの計算装置）で処理することができる。いくつかの実施形態では、格納部２１４上のデータは、ネットワークを介して無線送信され得る。
【００３０】
図３は、ユーザ定義マップのＥＣＧデータを管理する例示の方法３００を示すフロー図である。ブロック３０２に示すように、この方法は、経時的な電気信号の取得を開始することと、取得した電気信号（すなわち、取得したＥＣＧデータ）を用いてマッピング手順の実行を開始することとを含む。すなわち、心臓の異なる領域に配置された電極を介してＥＣＧデータが取得される。マップデータ及び心臓の１つ以上のマップを生成すること及び表示することを含むマッピング手順は、取得されたＥＣＧデータを使用して実行される。
【００３１】
例えば、図４は、マッピング手順中のＥＣＧマップデータ４０２と心臓マップ４０４の表示例４００を示している。図４に示すように、ＥＣＧマップデータ４０２が、取得された信号（例えば信号００１〜信号０３３）のそれぞれについて表示され、ＥＣＧマップデータ４０２を用いて心臓マップ４０４が表示される。ポイント４０６に対応する取得された各信号（例えば信号００１〜信号０３３）は、心臓マップ４０４上の異なる位置に示されている。
【００３２】
ブロック３０４に示すように、方法３００は、取得されたＥＣＧデータを第１及び第２メモリ部分に同時に格納することを含む。例えば、ＥＣＧデータは、第１メモリ部分（例えば、固定式メモリ部分）と第２メモリ部分（例えば、リムーバブル格納装置）とに、連続的かつ現在進行的に格納される。各ＥＣＧ信号について、ＥＣＧデータは経時的に連続的に取得される。従来技術では、心臓の電気信号を表す各ＥＣＧデータ部分が、約２．５秒の時間間隔にわたって電極から取得される。従来の２．５秒の取得時間間隔は、平均的に、連続する２心拍分のＥＣＧデータを取得する。臨床診療のためには２．５秒は十分であり得るが、外部分析には、より長い取得時間間隔を用いた方が容易になり得る。例えば、より長い取得時間間隔により、追加データがもたらされる可能性があり、これによって、より正確なマップを提供することができる。しかしながら、追加の取得時間間隔は、（例えば、第１及び第２メモリ部分両方において）より多量の格納データと、より長いエクスポート時間をもたらす。
【００３３】
本明細書に記載の実施形態は、選択可能な複数の取得時間間隔（例えば、２．５秒〜１５秒）を提供する。したがって、ユーザ（例えば、医師）は、潜在的なトレードオフ（例えば、より多くの格納データとより長いエクスポート時間か、それとも、各取得時間間隔についてより大量のＥＣＧデータか）に基づいて、選択可能な複数の取得時間間隔のうち１つを選択することができる。選択に応じて、選択された取得時間間隔を使用して、マッピング手順のためのＥＣＧデータを取得する。新規検査について、ＥＣＧデータが第１電極（すなわち、第１ポイントに対応）を介して取得された場合、フォルダがリムーバブル格納装置上に作成される（例えば、「ＵｓｅｒＤｅｆｉｎｅｄＭａｐ」（ＵＤＭ）フォルダ）。検査において各マップごとに、一時的なサブフォルダがＵＤＭフォルダ内に作成される。例えば、検査のマップを表示するためにマップデータが生成される際、その検査用のＵＤＭフォルダ内に、そのマップデータのための一時的なサブフォルダが作成される。その検査のマップを表示するために新たなマップデータが生成される際は、その検査用のＵＤＭフォルダ内に、その新たなマップデータのための一時的なサブフォルダが作成される。
【００３４】
ブロック３０６に示すように、方法３００には、ＥＣＧデータをエクスポートする要求を受信することが含まれる。例えば、マッピング手順中にいつでも、リムーバブル格納部に連続的に格納されているＥＣＧデータをエクスポートする要求（例えば、ユーザインタフェースを介したユーザ要求）を受信することができる。ＥＣＧデータをエクスポートする要求に応じて、ＵＤＭフォルダ（進行中のマップのために連続的に格納されているＥＣＧデータを有する一時的フォルダを含む）にアクセスする。一時的フォルダは、デフォルトのＬＡＴ値（例えば、図５に示すように、複数のデフォルト値「−１００００」）を伴って、進行中のマップ及び検査に従って名付けることもできる（例えば、「Ｍａｐ  Ｎａｍｅ＞＿ＵＤＭ．ｔｘｔ」）。
【００３５】
ＥＣＧデータがエクスポートされた後、現在表示されているマップへの追加の変更を行うと、追加のエクスポート処理が開始される。追加のエクスポート処理は、第１エクスポート処理よりも長いため、追加のエクスポート処理がレビューモードで実行され、これによりユーザは、前の検査（すなわち、その患者が検査台上にあるときに実施されたもの）での結果をレビューすることができる。このレビューモードは後ろ向きモードであり、新たなデータは取得されず、ユーザは既存のマップ、ＥＣＧデータ、及び他のデータを編集することができる。
【００３６】
実施形態には更に、推定されたエクスポート時間をユーザに対して表示することが含まれる。例えば、表１（下記）は、様々なデータ取得時間間隔（すなわち、２．５秒、６秒、１０秒、１５秒のＥＣＧ時間スパン）に応じて、様々な取得ポイントの数（すなわち、５００、１０００、３，０００）について、ＥＣＧデータをエクスポートするのに推定される分単位の時間（すなわち、エクスポート時間間隔）を示す。
【００３７】
【表１】
2019034150.tif 000003
【００３８】
エクスポート時間間隔は、ＥＣＧデータ取得時間間隔（すなわち、表１の２．５秒、６秒、１０秒、１５秒）から導出される。すなわち、ＥＣＧデータ取得時間間隔が長くなるにつれて、より多くのデータがエクスポートされるため、データのエクスポートにより長い時間がかかる。例えば、表１に示すように、それぞれが２．５秒の取得ポイント時間間隔を有するポイント５００個のＥＣＧデータをエクスポートするのに、エクスポート時間間隔が１分であると推定される。それぞれが１５秒の取得ポイント時間を有するポイント３，０００個のＥＣＧデータをエクスポートするのに、エクスポート時間間隔が９９分であると推定される。表１に示す推定される分単位の時間は、ユーザに提供することができる。推定される分単位の時間が提供されたことに応じて、ユーザは１つ以上のシステムパラメータを設定する（又は既存の設定を変更する）ことができる。例えば、推定される分単位の時間により、そのエクスポート時間間隔が、所望の時間間隔よりも長い場合（例えば３０分以上）には、ユーザは、表示するデータ取得ポイント数を減らすか、又はＥＣＧ取得時間間隔を短くすることができる。
【００３９】
実施形態には更に、例えば、ポイントあたりのエクスポートされたＥＣＧデータを有するファイルタイプなどの、様々なエクスポートタイプの選択をユーザに提供することが含まれる。エクスポートタイプの選択には更に、データを列で表示するファイルタイプが含まれ、これによりユーザは様々なタイプのデータ（例えば、ポイント指標、カテーテルＸ軸座標、カテーテルＹ軸座標、カテーテルＺ軸座標、カテーテル方位角、カテーテル仰角、カテーテル横揺れ角、単極、双極、ＬＡＴ、インピーダンス、力、及びポイント開始時間など）を入力することができる。
【００４０】
ブロック３０８及び３１０に示すように、方法３００には更に、第１メモリ部分へのＥＣＧデータの格納を停止することと、マッピング手順の実行を継続しながら、第２メモリ部分に格納されたＥＣＧデータをマップデータと同期させることと、が含まれる。例えば、ＥＣＧデータをエクスポートする要求の受信に応じて、取得したＥＣＧデータ（進行中のマッピング手順の実行に利用される）は、第１メモリ部分へと引き続き格納され続ける。しかしながら、その要求を受信したことに応じて、取得されたＥＣＧデータの第２メモリ部分への格納は停止される。
【００４１】
また、第２メモリ部分に現在格納されているＥＣＧデータは、マップデータ（例えばマップデータ４０２）と同期される。例えば、１つ以上の取得信号に対応するＥＣＧデータは、マッピング手順中に、ＥＣＧマップデータをエクスポートする要求を受信する前に、ＥＣＧマップデータから削除されてもよいし、（例えば別のマップから）追加されてもよい。第２メモリ部分（例えば、リムーバブル格納装置）に現在格納されているＥＣＧデータは、ＥＣＧマップデータと同期され、これによって第２メモリ部分に現在格納されているＥＣＧデータは、ＥＣＧデータをエクスポートする要求を受信する前に生成されていたＥＣＧマップデータと一致する。次に、第２メモリ部分に現在格納されているＥＣＧデータとＥＣＧマップデータとの同期が、検証される（例えば、処理装置２０４により自動的に、又は手動により）。
【００４２】
リムーバブル装置（エクスポートされたＥＣＧデータを含んでいる）は、第１計算装置から取り外される。次にこのリムーバブル装置を、計算装置２１６から離れた、別の計算装置（図示なし）にインポートすることができる。ユーザ定義アルゴリズムに従って、その別の計算装置でＥＣＧデータが処理される。処理された結果のデータは、次に、リムーバブル格納装置に格納され、これが計算装置２１６にインポートされる。
【００４３】
例えば、ＥＣＧデータが同期及びエクスポートされた後に、この格納装置は、第１計算装置から取り外され、第１計算装置から離れた第２計算装置に挿入され得る。追加の手順（例えば、ユーザ定義アルゴリズムを使用）は、取得された電気信号（すなわち、ＥＣＧ取得ポイント）に対応するＥＣＧデータのために、新しい値（例えばユーザ定義値）を提供する、第２計算装置で実行することができる。
【００４４】
図５は、取得された電気信号のそれぞれについてユーザが提供する、新しいＥＣＧデータを示すスクリーンショットである。新しいＥＣＧデータには、新しい値５０２が含まれ、これは、リムーバブル格納装置のエクスポートされたフォルダに格納されたエクスポートされたＥＣＧデータの値を置き換える。図５には更に、各取得ポイント５０４に対応するＬＡＴのデフォルト値「−１００００」が示されている。
【００４５】
ブロック３１２に示すように、方法３００には、新しいＥＣＧデータを第２メモリ部分からインポートすることが含まれる。新しいＥＣＧデータは、ユーザ定義値（例えば、図５の値５０２）から得られ、これが新しいＥＣＧデータと共に第１計算装置に再びインポートされる。
【００４６】
エクスポートされたフォルダ（そのマップと検査の名前を有する）に格納された新しいデータは、新しいデータをインポートする要求を介して、インポートされ得る。例えば、この要求は、第１計算装置でユーザインタフェースを介して受信されたユーザ要求であってよい。インポートされたフォルダは、例えば、サブフォルダよりも上位レベル（例えば、「ＭｅｄｉａＳｔｏｒａｇｅＤｅｖｉｃｅ￥ＵｓｅｒＤｅｆｉｎｅｄＭａｐ」）のフォルダに保存される。
【００４７】
ブロック３１４に示すように、方法３００には、新しいマップデータを用いて新しいマップを表示することが含まれる。例えば、新しいＥＣＧデータを受信した場合（例えば、処理装置２０４により）、マッピング手順は（これは新しいデータが第２計算装置で生成されている間も継続されている）、新しいＥＣＧデータから新しいマップデータを生成し、この新しいマップデータを使用して新しいマップが表示される（例えば表示装置２０６上に）。
【００４８】
図４を再び参照して、表示例４００には、１つ以上の対応するポイントに対する値をそれぞれ示す、複数の異なるインジケーターを含むＵＤＭインジケーターバー４０８が含まれる。図４に示すように、例示的なＵＤＭインジケーターバー４０８は、１．００〜６．００の値を含む。ＵＤＭインジケーターバー４０８上及び心臓マップ４０４上のインジケーターは、インポートされた新しいＥＣＧデータに従って変化する。この新しいデータ（例えば、ＵＤＭ値）４１０はＵＤＭ列のディスプレイ４００の左側に表示され、それぞれの値はＥＣＧデータ取得ポイントの１つ（すなわち、各信号）に対応している。例えば、図４に示すように、新しい値１（ＵＤＭインジケーターバー４０８の最も左側の値１．００に対応する）が、ポイント００１に対してインポートされる。ポイント００２〜００６についても新しい値がインポートされる。例えば、ポイント００６について、新しい値６（インジケーターバー４０８の最も右側の値６．００に対応する）がインポートされる。実施形態には、例えば、異なる値に対応する異なる色など、図４に示すようなインジケーターが含まれ得る。実施形態にはまた、図４に示すような、様々な数のインジケーター形態が含まれ得る。
【００４９】
本方法は、汎用コンピュータ、プロセッサ、又はプロセッサコアにおいて実施することができる。好適なプロセッサとしては、例として、汎用プロセッサ、専用プロセッサ、従来型プロセッサ、デジタルシグナルプロセッサ（ＤＳＰ）、複数のマイクロプロセッサ、ＤＳＰコアと関連する１つ若しくは２つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他の種類の集積回路（ＩＣ）、及び／又は状態機械が挙げられる。このようなプロセッサは、処理されたハードウェア記述言語（ＨＤＬ）命令及びネットリスト等の他の中間データ（このような命令は、コンピュータ可読媒体に格納することが可能である）の結果を用いて製造プロセスを構成することにより、製造することが可能である。このような処理の結果はマスクワークであり得、このマスクワークをその後半導体製造プロセスにおいて用いて、本開示の特徴を実施するプロセッサを製造する。
【００５０】
本明細書に提供される方法又はフローチャートは、汎用コンピュータ又はプロセッサによる実施のために持続性コンピュータ可読記憶媒体に組み込まれるコンピュータプログラム、ソフトウェア、又はファームウェアにおいて実施することができる。持続性コンピュータ可読記憶媒体の例としては、読み取り専用メモリ（ＲＯＭ）、ランダムアクセスメモリ（ＲＡＭ）、レジスタ、キャッシュメモリ、半導体メモリ装置、磁気媒体、例えば内蔵ハードディスク及びリムーバブルディスク、磁気光学媒体、並びに光学媒体、例えば、ＣＤ−ＲＯＭディスク及びデジタル多用途ディスク（ＤＶＤ）が挙げられる。
【００５１】
本明細書の開示に基づいて多くの変更例が可能であることを理解されたい。特徴及び要素が特定の組み合わせで上に説明されているが、各特徴又は要素は、他の特徴及び要素を用いずに単独で、又は他の特徴及び要素を用いて若しくは用いずに他の特徴及び要素との様々な組み合わせで使用されてもよい。
【００５２】
〔実施の態様〕
（１）  心電図（ＥＣＧ）データ管理システムであって、
心臓の異なる領域に配置された複数の電極を介して経時的に取得された前記心臓の電気信号に対応する値を有するＥＣＧデータを格納するように構成された第１メモリ部分と、
前記電気信号に対応する前記ＥＣＧデータを格納するように構成された第２メモリ部分と、
前記ＥＣＧデータのマッピングを管理するように構成された処理装置であって、前記管理を、
表示するために前記ＥＣＧデータからマップデータ及び１つ以上のマップを生成することを含むマッピング手順を実行することと、
前記第１メモリ部分及び前記第２メモリ部分に同時に前記ＥＣＧデータを格納することと、
前記ＥＣＧデータをエクスポートする要求に応じて、前記第２メモリ部分への前記ＥＣＧデータの格納を停止することと、前記マッピング手順の実行を継続しながら、前記第２メモリ部分に格納された前記ＥＣＧデータを前記マップデータと同期させることと、によって行うように構成された、処理装置と、を含む、システム。
（２）  前記処理装置が更に、
前記マップデータの値を置換する新しい値を含む新しいＥＣＧデータをインポートすることと、
前記新しいＥＣＧデータから新しいマップデータを生成して、新しいマップを表示するための前記新しいマップデータを提供することにより、前記マッピング手順を実行することと、によって、前記ＥＣＧデータの前記マッピングを管理するように構成されている、実施態様１に記載のシステム。
（３）  前記複数の電極を含むカテーテルを更に含み、前記カテーテルは、前記複数の電極のそれぞれを前記心臓の前記異なる領域に配置するように操作可能である、実施態様１に記載のシステム。
（４）  前記第２メモリ部分がリムーバブル格納装置である、実施態様１に記載のシステム。
（５）  前記処理装置が更に、
前記心臓の前記電気信号を取得するための異なる時間周期をそれぞれが含む、複数の選択可能な取得時間間隔を提供することと、
前記複数の選択可能な取得時間間隔のうちの１つを用いて、前記心臓の前記電気信号を取得するための選択を受信することと、
前記マッピング手順のために、前記複数の選択可能な取得時間間隔のうちの１つを用いて、前記心臓の前記電気信号を取得することと、
によって、前記ＥＣＧデータのマッピングを管理するように構成されている、実施態様１に記載のシステム。
【００５３】
（６）  前記第２メモリ部分に格納されている前記ＥＣＧデータを前記マップデータと同期させることが、前記第２メモリ部分に現在格納されている前記ＥＣＧデータを、前記ＥＣＧデータをエクスポートする前記要求を受信する前に生成されていた前記マップデータと一致させることを含む、実施態様１に記載のシステム。
（７）  前記第２メモリ部分に現在格納されている前記ＥＣＧデータを、前記ＥＣＧデータをエクスポートする前記要求を受信する前に生成されていた前記マップデータと一致させることが、前記第２メモリ部分に格納されている前記ＥＣＧデータの現在進行中部分を削除することと、前記第２メモリ部分に格納されている前記ＥＣＧデータにＥＣＧデータの追加部分を追加することとの少なくとも一方を更に含む、実施態様６に記載のシステム。
（８）  表示装置を更に含み、
前記処理装置が、表示する前記マップデータ及び前記１つ以上のマップを前記表示装置に提供することによって、前記ＥＣＧデータのマッピングを管理するように更に構成され、
前記表示装置が、前記マップデータと前記１つ以上のマップとの少なくとも一方を表示するように構成されている、実施態様１に記載のシステム。
（９）  ユーザ定義マップ用に心電図ＥＣＧデータを管理する方法であって、
心臓の異なる領域に配置された複数の電極を介して、経時的に取得された前記心臓の電気信号に対応するＥＣＧデータを取得することと、
前記ＥＣＧデータからマップデータ及び１つ以上のマップを生成することを含むマッピング手順を実行することと、
第１メモリ部分及び第２メモリ部分に同時に前記ＥＣＧデータを格納することと、
前記ＥＣＧデータをエクスポートする要求に応じて、前記第２メモリ部分への前記ＥＣＧデータの格納を停止することと、前記マッピング手順の実行を継続しながら、前記第２メモリ部分に格納された前記ＥＣＧデータを前記マップデータと同期させることと、を含む、方法。
（１０）  更に、
前記マップデータの値を置換する新しい値を含む新しいＥＣＧデータをインポートすることと、
前記新しいＥＣＧデータから新しいマップデータを生成して、新しいマップを表示するための前記新しいマップデータを提供することにより、前記マッピング手順を実行することと、
前記新しいマップデータと前記新しいマップとを表示することと、を含む、実施態様９に記載の方法。
【００５４】
（１１）  更に、
前記心臓の前記電気信号を取得するための異なる時間周期をそれぞれが含む、複数の選択可能な取得時間間隔を提供することと、
前記複数の選択可能な取得時間間隔のうちの１つを用いて、前記心臓の前記電気信号を取得するための選択を受信することと、
前記マッピング手順のために、前記複数の選択可能な取得時間間隔のうちの１つを用いて、前記心臓の前記電気信号を取得することと、を含む、実施態様９に記載の方法。
（１２）  前記第２メモリ部分に格納されている前記ＥＣＧデータを前記マップデータと同期させることが、前記第２メモリ部分に現在格納されている前記ＥＣＧデータを、前記ＥＣＧデータをエクスポートする前記要求を受信する前に生成されていた前記マップデータと一致させることを含む、実施態様９に記載の方法。
（１３）  前記第２メモリ部分に現在格納されている前記ＥＣＧデータを、前記ＥＣＧデータをエクスポートする前記要求を受信する前に生成されていた前記マップデータと一致させることが、更に、前記第２メモリ部分に格納されている前記ＥＣＧデータの現在進行中部分を削除することと、前記第２メモリ部分に格納されている前記ＥＣＧデータにＥＣＧデータの追加部分を追加することとの少なくとも一方を含む、実施態様１２に記載の方法。
（１４）  更に、
表示する前記マップデータ及び前記１つ以上のマップを表示装置に提供することと、
前記マップデータ及び前記１つ以上のマップの少なくとも一方を、前記表示装置に表示することと、を含む、実施態様９に記載の方法。
（１５）  前記複数の電極を含むカテーテルを用いて、前記心臓の前記電気信号を取得することを更に含む、実施態様９に記載の方法。
【００５５】
（１６）  コンピュータビジョン加速方法をコンピュータに実行させるための命令を含む、非一時的コンピュータ可読媒体であって、前記命令が、
心臓の異なる領域に配置された複数の電極を介して、経時的に取得された前記心臓の電気信号に対応するＥＣＧデータを取得することと、
前記ＥＣＧデータからマップデータ及び１つ以上のマップを生成することを含むマッピング手順を実行することと、
第１メモリ部分及び第２メモリ部分に同時に前記ＥＣＧデータを格納することと、
前記ＥＣＧデータをエクスポートする要求に応じて、前記第２メモリ部分への前記ＥＣＧデータの格納を停止することと、前記マッピング手順の実行を継続しながら、前記第２メモリ部分に格納された前記ＥＣＧデータを前記マップデータと同期させることと、を含む、コンピュータ可読媒体。
（１７）  前記命令が更に、
前記マップデータの値を置換する新しい値を含む新しいＥＣＧデータをインポートすることと、
前記新しいＥＣＧデータから新しいマップデータを生成して、新しいマップを表示するための前記新しいマップデータを提供することにより、前記マッピング手順を実行することと、
前記新しいマップデータと前記新しいマップとを表示することと、を含む、実施態様１６に記載のコンピュータ可読媒体。
（１８）  前記命令が更に、
前記心臓の前記電気信号を取得するための異なる時間周期をそれぞれが含む、複数の選択可能な取得時間間隔を提供することと、
前記複数の選択可能な取得時間間隔のうちの１つを用いて、前記心臓の前記電気信号を取得するための選択を受信することと、
前記マッピング手順のために、前記複数の選択可能な取得時間間隔のうちの１つを用いて、前記心臓の前記電気信号を取得することと、を含む、実施態様１６に記載のコンピュータ可読媒体。
（１９）  前記第２メモリ部分に格納されている前記ＥＣＧデータを前記マップデータと同期させることが、前記第２メモリ部分に現在格納されている前記ＥＣＧデータを、前記ＥＣＧデータをエクスポートする前記要求を受信する前に生成されていた前記マップデータと一致させることを含む、実施態様１６に記載のコンピュータ可読媒体。
（２０）  前記第２メモリ部分に現在格納されている前記ＥＣＧデータを、前記ＥＣＧデータをエクスポートする前記要求を受信する前に生成されていた前記マップデータと一致させることが、更に、前記第２メモリ部分に格納されている前記ＥＣＧデータの現在進行中部分を削除することと、前記第２メモリ部分に格納されている前記ＥＣＧデータにＥＣＧデータの追加部分を追加することとの少なくとも一方を含む、実施態様１６に記載のコンピュータ可読媒体。
【図１】
2019034150.tif 000004
【図２】
2019034150.tif 000005
【図３】
2019034150.tif 000006
【図４】
2019034150.tif 000007
【図５】
2019034150.tif 000008
【外国語明細書】
2019034150000001.pdf